(57)【特許請求の範囲】
【請求項１】
表示パネルと、
前記表示パネルに対向してマトリックス状に配列され、光を出射する複数の発光体と、
前記発光体の発光輝度を制御する輝度制御部と、
前記発光体の発光に関する異常検出を行う異常検出部と、
前記表示パネルの表示を制御する表示制御部と、
前記異常検出部による異常検出に応じて、前記表示制御部および前記輝度制御部の制御を行う統括制御部と、を備え、
前記統括制御部は、前記異常検出部によっていずれかの発光体に発光に関する異常が検出された場合、異常が検出された異常発光体に隣接して配置された隣接発光体に対向する表示パネルの領域に、前記異常発光体の配置位置を示す形状の記号画像が表示されるように、前記表示制御部を制御することを特徴とする表示装置。
【請求項２】
前記統括制御部は、
前記隣接発光体に対向する表示パネルの領域に、前記異常発光体の配置位置を示す文字画像が表示されるように、前記表示制御部を制御することを特徴とする請求項１に記載の表示装置。
【請求項３】
表示パネルと、
前記表示パネルに対向してマトリックス状に配列され、光を出射する複数の発光体と、
前記発光体の発光輝度を制御する輝度制御部と、
前記発光体の発光に関する異常検出を行う異常検出部と、
前記表示パネルの表示を制御する表示制御部と、
前記異常検出部による異常検出に応じて、前記表示制御部および前記輝度制御部の制御を行う統括制御部と、を備える表示装置の制御方法であって、
前記統括制御部は、前記異常検出部によっていずれかの発光体に発光に関する異常が検出された場合、異常が検出された異常発光体に隣接して配置された隣接発光体に対向する表示パネルの領域に、前記異常発光体の配置位置を示す形状の記号画像が表示されるように、前記表示制御部を制御することを特徴とする表示装置の制御方法。
【発明の詳細な説明】
【技術分野】
【０００１】
本発明は、表示装置および表示装置の制御方法に関する。
【背景技術】
【０００２】
液晶パネルは、２枚の透明基板の間に液晶が封入され、電圧が印加されることにより液晶分子の向きが変えられ光透過率を変化させることで予め定められた映像等が光学的に表示される。この液晶パネルには、液晶自体が発光体ではないので、たとえば透過型の液晶パネルの背面側に陰極管（ＣＦＬ）、発光ダイオード（ＬＥＤ：Light Emitting Diode）などを光源とした光を照射するバックライトユニットが備えられる。
【０００３】
バックライトユニットには、たとえば、陰極管やＬＥＤ等の光源を底面に並べて光を出す直下型がある。
【０００４】
液晶パネルと、直下型のバックライトユニットとを備える表示装置は、たとえば公共の場に設置されるインフォメーションディスプレイとして使用される。インフォメーションディスプレイとして使用される場合、６０インチ程度の一般的に大きなサイズの液晶パネルが採用されることが多く、また、高輝度化が求められるので、単位面積あたりに配置される光源の個数が通常の表示装置よりも多い。さらに、サービス性の良さが求められることから、故障への対応が重要になる。
【０００５】
表示装置に関する故障としては、たとえば、複数の光源のうちの一部の光源が点灯しないというバックライトユニットの光源についての故障が挙げられる。特許文献１には、複数のＬＥＤを光源として用いる表示装置において、故障したＬＥＤに隣接するＬＥＤの輝度を増大させる表示装置が開示されている。特許文献１に開示の表示装置によれば、一部のＬＥＤが故障した場合でも、表示装置の輝度を維持することができる。
【０００６】
しかしながら、特許文献１に開示の表示装置では、輝度を増大させたＬＥＤの寿命が短くなるおそれがある。このことから、複数の光源のうちの一部の光源が点灯しないという故障が生じた場合、故障した光源を迅速に交換することが最も好ましい。
【０００７】
故障した光源を迅速に交換するためには、複数の光源の中から故障した光源の配置位置を迅速に特定することが必要である。故障した光源が複数まとまって存在する場合には、目視で容易に故障した光源の配置位置を特定することができるが、故障した光源がたとえば１つだけの場合などは、故障した光源の配置位置の迅速な特定は困難となる。
【０００８】
特許文献２には、複数の陰極管を光源として用いる表示装置において、複数の陰極管を１つずつ、所定の時間（１０秒）、順次点灯させるとともに、点灯させた陰極管の配置位置を液晶パネルに表示する表示装置が開示されている。特許文献２に開示の表示装置によれば、故障したＬＥＤの配置位置を容易に特定することができる。
【先行技術文献】
【特許文献】
【０００９】
【特許文献１】特開２００７−６７３１３号公報
【特許文献２】特開２００９−２７６４６５号公報
【発明の概要】
【発明が解決しようとする課題】
【００１０】
特許文献２に開示の表示装置では、光源の個数が多くなるほど、故障した光源の配置位置を特定するまでの時間が長く必要となる。前述のように、インフォメーションディスプレイとして使用される表示装置は、光源の個数が多いことから、インフォメーションディスプレイにて特許文献２に開示の方法を用いると、故障した光源を迅速に交換することが難しい。
【００１１】
本発明の目的は、複数の光源をバックライトとして用いる表示装置において、複数の光源の中から故障した光源の配置位置を迅速に報知することができる表示装置、および表示装置の制御方法を提供することである。
【課題を解決するための手段】
【００１２】
本発明は、表示パネルと、
前記表示パネルに対向してマトリックス状に配列され、光を出射する複数の発光体と、
前記発光体の発光輝度を制御する輝度制御部と、
前記発光体の発光に関する異常検出を行う異常検出部と、
前記表示パネルの表示を制御する表示制御部と、
前記異常検出部による異常検出に応じて、前記表示制御部および前記輝度制御部の制御を行う統括制御部と、を備え、
前記統括制御部は、前記異常検出部によっていずれかの発光体に発光に関する異常が検出された場合、異常が検出された異常発光体に隣接して配置された隣接発光体に対向する表示パネルの領域に、前記異常発光体の配置位置を示す形状の記号画像が表示されるように、前記表示制御部を制御することを特徴とする表示装置。
【００１３】
また本発明は、前記統括制御部は、
前記隣接発光体に対向する表示パネルの領域に、前記異常発光体の配置位置を示す文字画像が表示されるように、前記表示制御部を制御することを特徴とする。
【００１７】
また本発明は、表示パネルと、
前記表示パネルに対向してマトリックス状に配列され、光を出射する複数の発光体と、
前記発光体の発光輝度を制御する輝度制御部と、
前記発光体の発光に関する異常検出を行う異常検出部と、
前記表示パネルの表示を制御する表示制御部と、
前記異常検出部による異常検出に応じて、前記表示制御部および前記輝度制御部の制御を行う統括制御部と、を備える表示装置の制御方法であって、
前記統括制御部は、前記異常検出部によっていずれかの発光体に発光に関する異常が検出された場合、異常が検出された異常発光体に隣接して配置された隣接発光体に対向する表示パネルの領域に、前記異常発光体の配置位置を示す形状の記号画像が表示されるように、前記表示制御部を制御することを特徴とする表示装置の制御方法である。
【発明の効果】
【００２２】
本発明によれば、統括制御部は、隣接発光体に対向する表示パネルの領域に、異常発光体の配置位置を示す形状の記号画像が表示されるように、表示制御部を制御する。これによって、異常発光体の配置位置を容易に報知することができ、故障したＬＥＤを迅速に交換することができる。さらに異常発光体の配置位置を表示パネルにより明確に表示することができる。
【００２３】
また本発明によれば、制御部は、隣接発光体に対向する表示パネルの領域に、異常発光体の配置位置を示す文字画像が表示されるように、表示制御部を制御する。これによって、異常発光体の配置位置を表示パネルにより明確に表示することができる。
【図面の簡単な説明】
【００２６】
【図１】本発明の第１実施形態である表示装置１００の構成を示す分解斜視図である。
【図２】表示装置１００の構成を示すブロック図である。
【図３】表示装置１００の制御方法を示すフローチャートである。
【図４】表示装置１００における、異常ＬＥＤの配置位置を報知するための制御を説明するための図である。
【図５】ＬＥＤ駆動制御処理の手順を示すフローチャートである。
【図６】複数の異常ＬＥＤが隣接している表示装置１００を示す図である。
【図７】本発明の第２の実施形態である表示装置２００の構成を示すブロック図である。
【図８】表示装置２００の制御方法を示すフローチャートである。
【図９】異常ＬＥＤ１４以外の全てのＬＥＤが周囲ＬＥＤに設定された表示装置２００を示す図である。
【図１０】画像データ表示処理の手順を示すフローチャートである。
【図１１】異常ＬＥＤの配置位置報知処理終了後の液晶パネル２を示す図である。
【図１２】記号画像データが表示された、異常ＬＥＤの配置位置報知処理終了後の液晶パネル２を示す図である。
【図１３】文字画像データが表示された、異常ＬＥＤの配置位置報知処理終了後の液晶パネル２を示す図である。
【発明を実施するための形態】
【００２７】
図１は、本発明の第１実施形態である表示装置１００の構成を示す分解斜視図である。図２は、表示装置１００の構成を示すブロック図である。表示装置１００は、インフォメーションディスプレイ、テレビジョンおよびパーソナルコンピュータなどにおいて、画像情報を出力することによって画像を表示画面に表示する装置である。表示装置１００は、表示パネルである液晶パネル２と、発光装置１と、記憶部４０と、表示制御部３１と、制御部５０と、操作部６０とを備える。液晶パネル２において、厚み方向の２つの向きのうち、液晶パネル２と対向する側を背面側とし、他方を前面側とする。表示装置１００は画像を、前面側から見て視認可能に表示する。
【００２８】
液晶パネル２は、発光装置１が備えるフレーム部材１１３の底部１３１と平行に、側壁部１３２により支持される。液晶パネル２は、２枚の基板を含み、厚み方向から見て長方形の板状に形成される。液晶パネル２は、ＴＦＴ（Thin Film Transistor）等のスイッチング素子を含み、２枚の基板の隙間には液晶が注入されている。液晶パネル２は、背面側に配置される発光装置１からの光がバックライトとして照射されることによって、表示機能を発揮する。前記２枚の基板には、液晶パネル２における画素の駆動制御用のドライバー（ソースドライバ）、種々の素子および配線が設けられている。
【００２９】
また、表示装置１００において、液晶パネル２と発光装置１との間には、拡散板３が、液晶パネル２に平行に配置される。なお、液晶パネル２と拡散板３との間に、光学シートを配置してもよい。
【００３０】
拡散板３は、発光装置１から照射される光を、面方向に拡散することによって、輝度が局所的に偏ることを防止する。光学シートは、拡散板３を介して背面側から到達した光の進行の向きを、前面側に向ける。拡散板３では、輝度が面方向に偏ることを防ぐために、光の進行方向は、ベクトル成分として、面方向の成分を多く含む。これに対し光学シートは、面方向のベクトル成分を多く含む光の進行方向を、厚み方向の成分を多く含む光の進行方向に変換する。具体的には、光学シートは、レンズまたはプリズム状に形成される部分が面方向に多数並んで形成され、これによって、拡散板３の厚み方向に進行する光の拡散度を小さくする。したがって、表示装置１００による表示において、輝度を上昇させることができる。
【００３１】
液晶パネル２には、表示制御部３１の制御によって各画素が駆動され、任意の映像が表示される。
【００３２】
発光装置１は、液晶パネル２に背面側から光を照射する直下型のバックライト装置である。発光装置１は、液晶パネル２に光を照射する複数の発光部１１１と、プリント基板１１２と、フレーム部材１１３と、複数の発光部１１１それぞれに接続された電流制御部３２と、複数の発光部１１１それぞれに接続された状態検出回路３３とを含む。
【００３３】
フレーム部材１１３は、発光装置１の基本構造体であり、液晶パネル２と予め定められた間隔をあけて対向する平板状の底部１３１と、底部１３１に連なり底部１３１から立ち上がる側壁部１３２とからなる。底部１３１は、厚み方向から見て長方形に形成され、その大きさは液晶パネル２よりも少し大き目である。側壁部１３２は、底部１３１のうち短辺を成す２つの端部と、長辺を成す２つの端部とから液晶パネル２の前面側に立ち上がって形成される。これによって、平板状の側壁部１３２が底部１３１の周囲に４つ、形成される。
【００３４】
プリント基板１１２は、フレーム部材１１３の底部１３１に固定される。このプリント基板１１２上には、複数の発光部１１１が設けられる。プリント基板１１２は、たとえば、導電層が両面に形成されたガラスエポキシからなる基板である。
【００３５】
複数の発光部１１１は、液晶パネル２に光を照射するものである。本実施形態では、複数の発光部１１１を１つの群として、拡散板３を介して液晶パネル２の背面の全体にわたって対向するように、複数の発光部１１１がプリント基板１１２上にマトリクス状に設けられる。各発光部１１１は、フレーム部材１１３の底部１３１の主面に垂直な方向から見て正方形に形成される。
【００３６】
複数の発光部１１１には、それぞれ、発光体である発光ダイオード（ＬＥＤ）が備えられている。
【００３７】
ＬＥＤは、プリント基板１１２に実装され、光を出射する。ＬＥＤは、発光部１１１をフレーム部材１１３の底部１３１の主面に垂直な方向から見たときに、中央部に位置する。複数の発光部１１１において、それぞれのＬＥＤによる光の出射の制御は、互いに独立して制御可能である。これによって、発光装置１は、部分的な調光制御（ローカルディミング）が可能である。発光部１１１は、フレーム部材１１３の底部１３１に垂直な方向から見て正方形である。
【００３８】
以上のように構成される表示装置１００では、複数の発光部１１１が、液晶パネル２に対してマトリクス状に設けられることに対応して、複数のＬＥＤがマトリクス状に配置されることになる。本実施形態の表示装置１００は、液晶パネル２に対してマトリクス状に配置される複数のＬＥＤにおいて、一部のＬＥＤに故障（異常）が発生した場合に、該異常が発生したＬＥＤ（以下「異常ＬＥＤ」という）の配置位置を報知することができるように構成されている。
【００３９】
輝度制御部である電流制御部３２は、複数の発光部１１１にそれぞれ備えられるＬＥＤに流れる電流値を制御する。異常検出部である状態検出回路３３は、ＬＥＤに流れる電流値、ＬＥＤに印加される電圧値などを検出し、ＬＥＤの状態を示す情報をＬＥＤ状態認識部５２に出力する。
【００４０】
記憶部４０は、一次的に書き換え可能なデバイスで、座標データ記憶部４１と、報知方法記憶部４２とを含む。座標データ記憶部４１には、ＬＥＤの状態、およびそのＬＥＤの配置位置を示す情報が記憶される。報知方法記憶部４２には、ＬＥＤの故障が発生した場合の報知方法を指示する情報が記憶されており、故障したＬＥＤ、および故障したＬＥＤの周囲に配置されたＬＥＤの点灯状態などを指示するテーブルが予め記憶されている。
【００４１】
統括制御部である制御部５０は、ＬＥＤ状態認識部５２と、ＬＥＤ駆動制御部５１と、演算部５３とを含む。ＬＥＤ状態認識部５２は、全ての状態検出回路３３に接続されており、状態検出回路３３から受信した情報を基に、全てのＬＥＤの状態を認識する。ＬＥＤ駆動制御部５１は、全ての電流制御部３２に接続されており、ＬＥＤに流れる電流値が所望の値となるように、電流制御部３２を制御する。
【００４２】
演算部５３は、ＬＥＤ駆動制御部５１、ＬＥＤ状態認識部５２および表示制御部３１の動作を制御するとともに、座標データ記憶部４１および報知方法記憶部４２から必要な情報を読み出す。また演算部５３は、操作部６０からのユーザの操作に従い、報知方法記憶部４２に記憶されるテーブルに関する情報の設定と更新とを行う。
【００４３】
操作部６０は、ユーザからの各種の指示を演算部５３に出力する。
【００４４】
図３は、表示装置１００の制御方法を示すフローチャートである。図４は、表示装置１００における、異常ＬＥＤの配置位置を報知するための制御を説明するための図である。
【００４５】
表示装置１００では、異常ＬＥＤの配置位置を報知するための制御の開始指示が操作部６０から入力されると、制御部５０は、異常ＬＥＤの配置位置報知処理を開始する。
【００４６】
ステップＳ１では、ＬＥＤ状態認識部５２は、液晶パネル２に対応してマトリクス状に配置される複数の発光部１１１がそれぞれ備える全てのＬＥＤについて、ＬＥＤの状態を認識する。ＬＥＤ状態認識部５２は、各発光部１１１の状態検出回路３３から出力される状態検出情報を受信し、その状態検出情報が、ＬＥＤが異常状態であることを示す情報である場合には、ＬＥＤの状態が異常状態であると認識し、ＬＥＤが正常状態であることを示す情報である場合には、ＬＥＤの状態が正常状態であると認識する。ＬＥＤ状態認識部５２は、電流制御部３２によって電流が流されているときに、ＬＥＤの輝度が所定の値よりも小さくなる異常である「点灯異常状態」と、電流制御部３２によって電流が流されていないにもかかわらず消灯しない異常である「消灯異常状態」とを区別して、ＬＥＤの異常状態を認識する。ＬＥＤ状態認識部５２は、このようなＬＥＤの状態の認識を、マトリックス状に配列される複数の発光部１１１がそれぞれ備える全てのＬＥＤについて、予め定める順序で実行する。
【００４７】
ＬＥＤ状態認識部５２は、さらに、状態を認識した各ＬＥＤの、液晶パネル２に対する配置位置を示す座標データを取得する。
【００４８】
表示装置１００では、長方形板状の液晶パネル２に対応して、フレーム部材１１３の底部１３１上に、ＬＥＤを備える複数の発光部１１１がマトリクス状に配置されている。すなわち、表示装置１００では、液晶パネル２に対応して、複数のＬＥＤが長方形板状の底部１３１上に、マトリクス状に配置されていることになる。本実施形態では、長方形板状の底部１３１における発光部１１１の載置面を、直交座標が設定された面であると見なし、底部１３１の長辺方向をＸ軸として取扱い、底部１３１の短辺方向をＹ軸として取扱う。そして、図４に示すように、底部１３１の主面に垂直な方向から見たときに、左下角部に位置するＬＥＤ１０の配置位置を示す座標データを（１，１）とする。
【００４９】
ＬＥＤ１０の右隣に配置されたＬＥＤ１１の配置位置を示す座標データを（２，１）とし、Ｘ軸方向に１つずれるにつれて、座標データを順に（３，１）、（４，１）・・・（ｎ−１，１）、（ｎ，１）とする。また、ＬＥＤ１０の上隣に配置されたＬＥＤ１２の配置位置を示す座標データを（１，２）とし、Ｙ軸方向に１つずれるにつれて、座標データを順に（１，３）、（１，４）・・・（１，ｍ−１）、（１，ｍ）とする。このようにして、全てのＬＥＤの配置位置を座標データで表すことができる。
【００５０】
ＬＥＤ状態認識部５２が取得した座標データは、各ＬＥＤの状態と関連付けられて、座標データ記憶部４１に記憶される。
【００５１】
ステップＳ２では、ＬＥＤ駆動制御部５１は、座標データ記憶部４１から座標データを読み出し、異常ＬＥＤの有無を判断する。異常ＬＥＤがなければ、ステップＳ３に進み、異常ＬＥＤがあれば、ステップＳ４に進む。
【００５２】
ステップＳ３では、ＬＥＤ駆動制御部５１は、予め定める通常条件でＬＥＤが駆動するように、電流制御部３２を制御する。
【００５３】
ステップＳ４では、表示装置１００は、ＬＥＤ駆動制御処理を実行する。図５は、ＬＥＤ駆動制御処理の手順を示すフローチャートである。
【００５４】
ＬＥＤ駆動制御部５１は、予め定める順序で、全てのＬＥＤについてＬＥＤ駆動制御処理を実行する。具体的には、ＬＥＤ駆動制御部５１は、座標データが（１，１）、（２，１）、（３，１）・・・（ｎ−１，１）、（ｎ，１）の順で、それぞれの座標データのＬＥＤについてＬＥＤ駆動制御処理を行う。その後、ｙ座標値が１つ大きい座標データのＬＥＤについて、（１，２）、（２，２）、（３，２）・・・（ｎ−１，２）、（ｎ，２）の順でＬＥＤ駆動処理を行う。これを繰り返し、最後に座標データが（ｎ，ｍ）のＬＥＤ１３について、ＬＥＤ駆動制御処理を行う。
【００５５】
ステップＳ１１では、ＬＥＤ駆動制御部５１は、座標データ記憶部４１から読み出した座標データに基づいて、ＬＥＤ駆動制御処理を実行するＬＥＤが異常ＬＥＤか否か、および異常ＬＥＤである場合にその異常が点灯異常であるかまたは消灯異常であるか判断する。異常ＬＥＤであれば、ステップＳ１２に進み、異常ＬＥＤでなければ、ステップＳ１３に進む。
【００５６】
ステップＳ１２では、ＬＥＤ駆動制御部５１は、報知方法記憶部４２から、ＬＥＤ制御方法が示されたテーブルを読み出す。このとき、ＬＥＤ駆動制御部５１は、ＬＥＤ駆動制御処理を実行するＬＥＤが点灯異常のＬＥＤであれば、表１に示す、点灯異常のＬＥＤの制御方法が示された点灯異常ＬＥＤ制御テーブルを読み出す。
【００５７】
【表１】
0005826531.tif 000002
【００５８】
また、ＬＥＤ駆動制御部５１は、ＬＥＤ駆動制御処理を実行するＬＥＤが消灯異常のＬＥＤであれば、表２に示す、消灯異常のＬＥＤの制御方法が示されて消灯異常ＬＥＤ制御テーブルを読み出す。
【００５９】
【表２】
0005826531.tif 000003
【００６０】
ＬＥＤ駆動制御部５１は、その読み出したテーブルに示された異常ＬＥＤの情報に従って、ＬＥＤ駆動制御処理を実行するＬＥＤが所定の点灯状態となるように、電流制御部３２を制御する。具体的には、ＬＥＤ駆動制御処理を実行するＬＥＤが点灯異常のＬＥＤであれば、ＬＥＤが点灯しないように電流制御部３２を制御し、ＬＥＤ駆動制御処理を実行するＬＥＤが消灯異常のＬＥＤであれば、ＬＥＤの点灯輝度（発光輝度）が最大になるように電流制御部３２を制御する。その後、ステップＳ１６に進む。
【００６１】
ステップＳ１３では、ＬＥＤ駆動制御部５１は、座標データ記憶部４１から読み出した座標データに基づいて、ＬＥＤ駆動制御処理を実行するＬＥＤが、異常ＬＥＤに隣接するＬＥＤを含む、異常ＬＥＤの周囲に配置されたＬＥＤ（以下「周囲ＬＥＤ」という）か否か判断する。この判断を行うために、ＬＥＤ駆動制御部５１は、まず座標データ記憶部４１から座標データを読み出す。そして、座標データに、点灯異常のＬＥＤが存在することが示されていれば、報知方法記憶部４２から、表１に示した点灯異常ＬＥＤ制御テーブルを読み出し、消灯異常のＬＥＤが存在することが示されていれば、報知方法記憶部４２から、表２に示した消灯異常ＬＥＤ制御テーブルを読み出す。
【００６２】
ＬＥＤ駆動制御部５１は、報知方法記憶部４２から読み出されたテーブルに示された、周囲ＬＥＤに関する情報のうち、「列数」の情報に従い、ＬＥＤ駆動制御処理を実行するＬＥＤが、周囲ＬＥＤか否か判断する。周囲ＬＥＤの「列数」は、異常ＬＥＤの周囲何列が周囲ＬＥＤであるかを示す。たとえば、周囲ＬＥＤ数が１の場合、図４に示すように、異常ＬＥＤ１４の周囲１列が周囲ＬＥＤとなる。図４において、周囲ＬＥＤは、太線で囲んだ周囲ＬＥＤ配置領域１５内に配置されている。ＬＥＤ駆動制御処理を実行するＬＥＤが周囲ＬＥＤであれば、ステップＳ１４に進み、周囲ＬＥＤでなければ、ステップＳ１５に進む。
【００６３】
ステップＳ１４で、ＬＥＤ駆動制御部５１は、報知方法記憶部４２から読み出したテーブルに示された、周囲ＬＥＤに関する情報のうち、「点灯輝度」、「点滅」および「点滅間隔」の情報に従って、周囲ＬＥＤが所定の点灯状態となるように、電流制御部３２を制御する。その後、ステップＳ１６に進む。
【００６４】
ステップＳ１５では、ＬＥＤ駆動制御部５１は、ＬＥＤ駆動制御処理を実行しているＬＥＤが、異常ＬＥＤでも周囲ＬＥＤでもないＬＥＤ、すなわち残余のＬＥＤが消灯するように、電流制御部３２を制御する。
【００６５】
ステップＳ１６では、ＬＥＤ駆動制御部５１は、ＬＥＤ駆動制御処理を実行しているＬＥＤの配置位置を示す座標データについて、ｘ座標値およびｙ座標値が最大であるか否か判断する。ｘ座標値およびｙ座標値が最大であれば、全てのＬＥＤについてＬＥＤ駆動制御処理を実行したことになる。ｘ座標値およびｙ座標値が最大でなければ、ステップＳ１７に進む。
【００６６】
ステップＳ１７では、ＬＥＤ駆動制御部５１は、ＬＥＤ駆動制御処理を実行しているＬＥＤの配置位置を示す座標データについて、ｘ座標値が最大であるか否か判断する。ｘ座標が最大であれば、ステップＳ１８に進み、ｘ座標が最大でなければ、ステップＳ１９に進む。
【００６７】
ステップＳ１８では、ＬＥＤ駆動制御部５１は、座標データのｘ座標値が「１」となり、ｙ座標値が１つ大きくなるように、ＬＥＤ駆動制御処理を実行するＬＥＤを変更する。その後、ステップＳ１１に戻る。
【００６８】
ステップＳ１９では、ＬＥＤ駆動制御部５１は、座標データのｘ座標値が１つ大きくなるように、ＬＥＤ駆動制御処理を実行するＬＥＤを変更する。その後、ステップＳ１１に戻る。
【００６９】
以上のようにして、全てのＬＥＤについてＬＥＤ駆動制御処理を実行すると、異常ＬＥＤの配置位置報知処理が終了となる。異常ＬＥＤの配置位置報知処理終了後の表示装置１００において、ＬＥＤの点灯状態は、図４に示すような状態となる。すなわち、異常ＬＥＤ１４が消灯し、周囲ＬＥＤ配置領域１５内の周囲ＬＥＤが点灯し、その他の残余のＬＥＤが消灯した状態となる。異常ＬＥＤの配置位置報知処理を実行することによって、異常ＬＥＤの配置位置を容易に報知することができるので、故障したＬＥＤを迅速に交換することができる。
【００７０】
表１に示した点灯異常ＬＥＤ制御テーブルおよび表２に示した消灯異常ＬＥＤ制御テーブルの各項目は、操作部６０から操作することで、適宜変更することができる。たとえば、点灯異常ＬＥＤ制御テーブルにおいて、周囲ＬＥＤの列数および点灯輝度を変更でき、また、周囲ＬＥＤが点滅するように変更することができる。周囲ＬＥＤが点滅するように変更した場合には、その点滅の間隔を設定することができる。周囲ＬＥＤを点滅させる点灯異常ＬＥＤ制御テーブルの例を、以下の表３に示す。
【００７１】
【表３】
0005826531.tif 000004
【００７２】
なお、消灯異常ＬＥＤ制御テーブルでは、異常ＬＥＤとの区別を容易に行えるように、周囲ＬＥＤの「点滅」の項目は、「有」とする方が好ましい。
【００７３】
異常ＬＥＤが複数ある場合、特に、複数の異常ＬＥＤが隣接している場合には、ＬＥＤ駆動制御部５１は、点灯異常ＬＥＤ制御テーブルおよび消灯異常ＬＥＤ制御テーブルにおいて、周囲ＬＥＤの点滅が「無」と示されていたとしても、周囲ＬＥＤを、点滅させるよう制御することが好ましい。
【００７４】
図６は、複数の異常ＬＥＤが隣接している表示装置１００を示す図である。たとえば、図６に示すように、消灯異常のＬＥＤ２０の周囲が点灯異常のＬＥＤ２１である場合、点灯異常のＬＥＤ２１の周囲ＬＥＤに対して、点滅「無」の制御を行う、すなわち、点灯異常のＬＥＤ２１の周囲ＬＥＤを常に点灯させる制御を行った場合、消灯異常のＬＥＤ２０が異常ＬＥＤであると気が付くことが難しい。周囲ＬＥＤが点滅する制御を行うことで、消灯異常のＬＥＤ２０と点灯異常のＬＥＤ２１とが隣接して存在した場合でも、異常ＬＥＤの配置位置を容易に報知することができる。
【００７５】
図７は、本発明の第２の実施形態である表示装置２００の構成を示すブロック図である。表示装置２００は、制御部２５０に画像データ生成部５４および液晶パネル表示処理部５８が含まれることが表示装置１００と異なる。
【００７６】
画像データ生成部５４は、記号画像データ生成部５５と、文字画像データ生成部５６と、矩形画像データ生成部５７とを含む。記号画像データ生成部５５は、演算部５３からの指示に従って、記号画像データを生成する。文字画像データ生成部５６は、演算部５３からの指示に従って、文字画像データを生成する。矩形画像データ生成部５７は、演算部５３からの指示に従って、矩形画像データを生成する。
【００７７】
液晶パネル表示処理部５８は、画像データ生成部５４および表示制御部３１に接続されており、たとえば、画像データ生成部５４の矩形画像データ生成部５７で生成された矩形画像データと、記号画像データ生成部５５で生成された記号画像データとを重ね合わせた画像データを、表示制御部３１に出力する。
【００７８】
図８は、表示装置２００の制御方法を示すフローチャートである。表示装置２００では、異常ＬＥＤの配置位置を報知するための制御の開始指示が操作部６０から入力されると、制御部５０は、異常ＬＥＤの配置位置報知処理を開始する。
【００７９】
ステップＳ３１では、ＬＥＤ状態認識部５２は、液晶パネル２に対応してマトリクス状に配置される複数の発光部１１１がそれぞれ備える全てのＬＥＤについて、ＬＥＤの状態を認識する。ＬＥＤ状態認識部５２は、各発光部１１１の状態検出回路３３から出力される状態検出情報を受信し、その状態検出情報が、ＬＥＤが異常状態であることを示す情報である場合には、ＬＥＤの状態が異常状態であると認識し、ＬＥＤが正常状態であることを示す情報である場合には、ＬＥＤの状態が正常状態であると認識する。ＬＥＤ状態認識部５２は、電流制御部３２によって電流が流されているときに、ＬＥＤの輝度が所定の値よりも小さくなる異常である「点灯異常状態」と、電流制御部３２によって電流が流されていないにもかかわらず消灯しない異常である「消灯異常状態」とを区別して、ＬＥＤの異常状態を認識する。ＬＥＤ状態認識部５２は、このようなＬＥＤの状態の認識を、マトリックス状に配列される複数の発光部１１１がそれぞれ備える全てのＬＥＤについて、予め定める順序で実行する。
【００８０】
ＬＥＤ状態認識部５２は、さらに、状態を認識した各ＬＥＤの、液晶パネル２に対する配置位置を示す座標データを取得する。
【００８１】
ＬＥＤ状態認識部５２が取得した座標データは、各ＬＥＤの状態と関連付けられて、座標データ記憶部４１に記憶される。
【００８２】
ステップＳ３２では、ＬＥＤ駆動制御部５１は、座標データ記憶部４１から座標データを読み出し、異常ＬＥＤの有無を判断する。異常ＬＥＤがなければ、ステップＳ３３に進み、異常ＬＥＤがあれば、ステップＳ３４に進む。
【００８３】
ステップＳ３３では、ＬＥＤ駆動制御部５１は、予め定める通常条件でＬＥＤが駆動するように、電流制御部３２を制御する。また、液晶パネル表示処理部５８は、予め定める通常条件で液晶パネル２の表示が行われるように、表示制御部３１を制御する。
【００８４】
ステップＳ３４では、表示装置２００は、ＬＥＤ駆動制御処理を実行する。ステップＳ３４のＬＥＤ駆動制御処理は、図５に示すＬＥＤ駆動制御処理と同じであるため、記載を省略する。本実施形態の表示装置２００の制御方法では、報知方法記憶部４２には、異常ＬＥＤ以外の全てのＬＥＤが周囲ＬＥＤに設定された点灯異常ＬＥＤ制御テーブルおよび消灯異常ＬＥＤ制御テーブルが記憶されていることが好ましい。なお、この場合、図５に示すステップＳ１５は行われない。報知方法記憶部４２に、異常ＬＥＤ１４以外の全てのＬＥＤが周囲ＬＥＤに設定された点灯異常ＬＥＤ制御テーブルおよび消灯異常ＬＥＤ制御テーブルが記憶されている場合、ＬＥＤ駆動制御処理後の表示装置２００は、図９に示すような点灯状態になる。図９は、異常ＬＥＤ１４以外の全てのＬＥＤが周囲ＬＥＤに設定された表示装置２００を示す図である。すなわち、異常ＬＥＤ１４が消灯し、周囲ＬＥＤ配置領域１５内の周囲ＬＥＤが点灯した状態になる。ＬＥＤ駆動制御処理が実行された後、ステップＳ３５に進む。
【００８５】
ステップＳ３５では、表示装置２００は、画像データ表示処理を実行する。図１０は、画像データ表示処理の手順を示すフローチャートである。
【００８６】
液晶パネル表示処理部５８は、複数のＬＥＤそれぞれに対応する（対向する）液晶パネル２の矩形領域の全てに、画像データ表示処理を実行する。液晶パネル表示処理部５８は、ＬＥＤの配置位置に基づいて画像データ表示処理を実行する。そのため、液晶パネル表示処理部５８は、ＬＥＤ駆動制御処理と同じ予め定める順序で、ＬＥＤが周囲ＬＥＤであるか否か順に判断していき、そのＬＥＤに対応する液晶パネル２の矩形領域に画像データ表示処理を実行する。
【００８７】
ステップＳ４１では、液晶パネル表示処理部５８は、座標データ記憶部４１から読み出した座標データから、画像データ表示処理を実行する液晶パネル２の矩形領域に対応するＬＥＤが周囲ＬＥＤか否か判断する。液晶パネル表示処理部５８は、まず座標データ記憶部４１から座標データを読み出すとともに、報知方法記憶部４２から、たとえば表４に示す液晶パネル表示テーブルを読み出す。
【００８８】
【表４】
0005826531.tif 000005
【００８９】
液晶パネル表示処理部５８は、液晶パネル表示テーブルに示された、周囲ＬＥＤに関する情報のうち、「個数」の情報に従い、画像データ表示処理を実行する液晶パネル２の矩形領域に対応するＬＥＤが周囲ＬＥＤか否か判断する。表４の「個数」が５０とは、異常ＬＥＤ１４の周囲５０個のＬＥＤが周囲ＬＥＤであることを示す。これによって、ＬＥＤ駆動制御処理時に対して、画像データ表示処理時における周囲ＬＥＤを変更する。周囲ＬＥＤであれば、ステップＳ４３に進み、周囲ＬＥＤでなければ、ステップＳ４２に進む。
【００９０】
ステップＳ４２では、表示制御部３１は、対応する液晶パネル２の矩形領域に、黒色の矩形画像データが表示されるように液晶パネル２を制御する。その後、ステップＳ５０に進む。
【００９１】
ステップＳ４３では、液晶パネル表示処理部５８は、液晶パネル表示テーブルに基づいて、記号の指定があるか否か判断する。記号の指定があればステップＳ４４に進み、記号の指定がなければステップＳ４６に進む。
【００９２】
ステップＳ４４では、液晶パネル表示処理部５８は、座標データおよび液晶パネル表示テーブルに基づいて、画像データ表示処理を実行する液晶パネル２の矩形領域に対応するＬＥＤが、記号画像データが表示される液晶パネル２の矩形領域に対応するＬＥＤであるか否か判断する。本実施形態において、記号画像データが表示される液晶パネル２の矩形領域に対応するＬＥＤの配置位置は、周囲ＬＥＤ配置領域１５内において、異常ＬＥＤ１４を中心とした直交線上のＬＥＤと、そのＬＥＤの周辺に配置されたＬＥＤである。記号画像データが表示される液晶パネル２の矩形領域に対応するＬＥＤであればステップＳ４５に進み、そうでなければ、ステップＳ４６に進む。
【００９３】
ステップＳ４５では、記号画像データ生成部５５は、報知方法記憶部４２から液晶パネル表示テーブルを読み出し、液晶パネル表示テーブルに示された「文字／記号」の情報に従って、記号画像データを生成する。記号画像データ生成部５５が生成する記号画像データとしては、たとえば矢印記号の画像データが挙げられる。その後、ステップＳ４６に進む。
【００９４】
ステップＳ４６では、液晶パネル表示処理部５８は、液晶パネル表示テーブルから、文字の指定があるか否か判断する。文字の指定があればステップＳ４７に進み、文字の指定がなければステップＳ４９に進む。
【００９５】
ステップＳ４７では、液晶パネル表示処理部５８は、座標データに基づいて、画像データ表示処理を実行する液晶パネル２の矩形領域に対応するＬＥＤの配置位置が、文字画像データが表示される液晶パネル２の矩形領域に対応するＬＥＤであるか否か判断する。本実施形態において、文字画像データが表示される液晶パネル２の矩形領域に対応するＬＥＤは、周囲ＬＥＤ配置領域１５内において、異常ＬＥＤ１４を中心として放射線状に延びる直線のうちの１つの直線上のＬＥＤと、そのＬＥＤの周辺に配置されたＬＥＤである。文字画像データが表示される液晶パネル２の矩形領域に対応するＬＥＤであればステップＳ４８に進み、そうでなければ、ステップＳ４９に進む。
【００９６】
ステップＳ４８では、文字画像データ生成部５６は、報知方法記憶部４２から液晶パネル表示テーブルを読み出し、液晶パネル表示テーブルに示された「文字／記号」の情報に従って、文字画像データを生成する。文字画像データ生成部５６は、座標データ記憶部４１から座標データを読み出し、異常ＬＥＤの座標データを示す文字を、文字画像データとして生成する。その後、ステップＳ４９に進む。
【００９７】
ステップＳ４９では、液晶パネル表示処理部５８は、液晶パネル表示テーブルに示された「表示色」の情報に従って、その色の矩形画像データを生成する。液晶パネル表示処理部５８は、生成した矩形画像データを、記号画像データおよび文字画像データと重ね合わせる。記号画像データまたは文字画像データのいずれか一方のみが生成された場合には、その生成された方の画像データと重ね合わせる。液晶パネル表示処理部５８は、記号画像データとして矢印記号の画像データを重ね合わせる場合、矢印記号の先端が異常ＬＥＤに対応する液晶パネル２の矩形領域に向くように、矩形画像データと記号画像データとを重ね合わせる。表示制御部３１は、この画像データを、画像データ表示処理を実行する液晶パネル２の矩形領域に表示する。その後、ステップＳ５０に進む。
【００９８】
ステップＳ５０では、液晶パネル表示処理部５８は、画像データ表示処理を実行する液晶パネル２の矩形領域に対応するＬＥＤの配置位置を示す座標データについて、ｘ座標値およびｙ座標値が最大であるか否か判断する。ｘ座標値およびｙ座標値が最大であれば、全ての液晶パネル２の矩形領域について画像データ表示処理を実行したことになる。ｘ座標値およびｙ座標値が最大でなければ、ステップＳ５１に進む。
【００９９】
ステップＳ５１では、液晶パネル表示処理部５８は、画像データ表示処理を実行する液晶パネル２の矩形領域に対応するＬＥＤの配置位置を示す座標データについて、ｘ座標値が最大であるか否か判断する。ｘ座標が最大であれば、ステップＳ５２に進み、ｘ座標が最大でなければ、ステップＳ５３に進む。
【０１００】
ステップＳ５２では、液晶パネル表示処理部５８は、座標データのｘ座標値が１となり、ｙ座標値が１つ大きくなるように、画像データ表示処理を実行する液晶パネル２の矩形領域に対応するＬＥＤを変更する。その後、ステップＳ４１に戻る。
【０１０１】
ステップＳ５３では、液晶パネル表示処理部５８は、座標データのｘ座標値が１つ大きくなるように、画像データ表示処理を実行する液晶パネル２の矩形領域に対応するＬＥＤを変更する。その後、ステップＳ４１に戻る。
【０１０２】
以上のようにして、液晶パネル２の矩形領域についてＬＥＤ駆動制御処理を実行すると、異常ＬＥＤの配置位置報知処理が終了となる。表４に示す液晶パネル表示テーブルに従って画像データ表示処理を行った場合の、異常ＬＥＤの配置位置報知処理が終了後の液晶パネル２を図１１に示す。図１１は、異常ＬＥＤの配置位置報知処理終了後の液晶パネル２を示す図である。図１１において、斜線の領域には、黒色の矩形画像データが表示されており、内部が白抜きの領域は、周囲ＬＥＤに対応する液晶パネル２の矩形領域である周囲ＬＥＤ領域１７を示し、赤色の矩形画像データが表示されている。このような、異常ＬＥＤの配置位置報知処理が終了後の液晶パネル２を見ることによって、周囲ＬＥＤ領域１７で囲まれた矩形領域１６に対応するＬＥＤが、異常ＬＥＤであることが分かる。異常ＬＥＤの配置位置報知処理を実行することによって、異常ＬＥＤの配置位置を容易に報知することができるので、故障したＬＥＤを迅速に交換することができる。
【０１０３】
液晶パネル表示テーブルの各項目は、操作部６０から操作することで、適宜変更することができる。たとえば、表４に示す液晶パネル表示テーブルを、表５，６に示す液晶パネル表示テーブルに変更することができる。
【０１０４】
【表５】
0005826531.tif 000006
【０１０５】
【表６】
0005826531.tif 000007
【０１０６】
表５に示す液晶パネル表示テーブルに従って画像データ表示処理を行った場合の、異常ＬＥＤの配置位置報知処理が終了後の液晶パネル２を図１２に示す。図１２は、記号画像データが表示された、異常ＬＥＤの配置位置報知処理終了後の液晶パネル２を示す図である。図１２には、周囲ＬＥＤ領域１７において、記号画像データ生成部５５で生成した矢印の記号画像データ１８が、矩形画像データと重ね合わせて表示されている。
【０１０７】
また、表６に示す液晶パネル表示テーブルに従って画像データ表示処理を行った場合の、異常ＬＥＤの配置位置報知処理が終了後の液晶パネル２を図１３に示す。図１３は、文字画像データが表示された、異常ＬＥＤの配置位置報知処理終了後の液晶パネル２を示す図である。図１３には、周囲ＬＥＤ領域１７において、文字画像データ生成部５６で生成した、異常ＬＥＤの配置位置を示す座標データを示す文字画像データ１９が、矩形画像データと重ね合わせて表示されている。図１３では、文字画像データ１９として、「（ａ，ｂ）」という文字が表示される。
【０１０８】
このように、記号画像データまたは文字画像データを液晶パネル２に表示することによって、異常ＬＥＤの配置位置を一層容易に報知することができる。なお、矩形画像データとともに、記号画像データおよび文字画像データを重ね合わせて表示してもよい。
【０１０９】
なお、異常ＬＥＤが複数ある場合、特に、複数の異常ＬＥＤが隣接している場合には、画像データ表示処理において、画像データ表示処理を実行する液晶パネル２の矩形領域に対応するＬＥＤが周囲ＬＥＤであるか否か判断する前に、画像データ表示処理を実行する液晶パネル２の矩形領域に対応するＬＥＤが、異常ＬＥＤであるか否か判断することが好ましい。これによって、画像データ表示処理を実行する液晶パネル２の矩形領域に対応するＬＥＤが、異常ＬＥＤであるにもかかわらず、周囲ＬＥＤであると判断されることを防止することができる。
【符号の説明】
【０１１０】
１  発光装置
２  液晶パネル
３１  表示制御部
３２  電流制御部
３３  状態検出回路
４０  記憶部
４１  座標データ記憶部
４２  報知方法記憶部
５０，２５０  制御部
５１  ＬＥＤ駆動制御部
５２  ＬＥＤ状態認識部
５３  演算部
５４  画像データ生成部
５５  記号画像データ生成部
５６  文字画像データ生成部
５７  矩形画像データ生成部
５８  液晶パネル表示処理部
６０  操作部
１００，２００  表示装置
１１１  発光部
【図１】
0005826531.tif 000008
【図２】
0005826531.tif 000009
【図３】
0005826531.tif 000010
【図４】
0005826531.tif 000011
【図５】
0005826531.tif 000012
【図６】
0005826531.tif 000013
【図７】
0005826531.tif 000014
【図８】
0005826531.tif 000015
【図９】
0005826531.tif 000016
【図１０】
0005826531.tif 000017
【図１１】
0005826531.tif 000018
【図１２】
0005826531.tif 000019
【図１３】
0005826531.tif 000020